(57)【特許請求の範囲】
【請求項１】
ユーザが携帯している電界通信用携帯端末と電界により情報を送受信する電界通信装置であって、
有機ＥＬシートに電界通信のための送信用電極線と受信用電極線とを積層し、マット状に整形した構成の電界通信用電極面材と、
前記電界通信用電極面材の前記送信用電極線の出力端に接続された第１のトランシーバと、
前記電界通信用電極面材の前記受信用電極線の入力端に接続された第２のトランシーバと、
前記電界通信用電極面材の内部の有機ＥＬシートの給電端に接続され、当該有機ＥＬシートを発光させるための給電回路とを備え、
前記第1のトランシーバは信号発生装置を備え、
前記第２のトランシーバはＩＤ認証装置を備え、
前記電界通信用電極面材は、前記ユーザに同時に接触可能なように、前記送信用電極線と受信用電極線とを共に櫛形に、かつ、相互に交差しない配置にしたことを特徴とする電界通信装置。
【請求項２】
前記電界通信用電極面材は、前記有機ＥＬシートに前記送信用電極線と受信用電極線とを積層し、前記送信用電極線及び受信用電極線の表面を透明若しくは半透明樹脂にてラミネートし、四角のマット状にしたことを特徴とする請求項１に記載の電界通信装置。
【請求項３】
請求項１又は２に記載の電界通信装置を複数体、所定の誘導開始位置と所定の誘導終了位置とに設置し、
制御回路を前記複数体の電界通信装置それぞれの第１のトランシーバ、第２のトランシーバ、給電回路のすべてと接続し、
前記制御回路は、
前記誘導開始位置の電界通信装置の第１のトランシーバと第２のトランシーバとの間に電界通信が発生した時に、前記誘導開始位置の電界通信装置内の有機ＥＬシートに接続されている給電回路と前記誘導終了位置の電界通信装置内の有機ＥＬシートに接続されている給電回路それぞれを起動させてすべての電界通信装置内の有機ＥＬシートを発光させる給電制御をすることを特徴とする歩行者誘導装置。
【請求項４】
請求項１又は２に記載の電界通信装置を複数体、所定の誘導開始位置と所定の誘導終了位置とに設置し、
前記誘導開始位置と誘導終了位置に設置された電界通信装置の間に、マット状の有機ＥＬシートを適数枚、列をなすように設置し、
前記適数枚のマット状の有機ＥＬシートそれぞれの給電端に給電回路それぞれを接続し、
制御回路を前記複数体の電界通信装置それぞれの第１のトランシーバ、第２のトランシーバ、給電回路と前記適数枚のマット状の有機ＥＬシートそれぞれの給電回路のすべてと接続し、
前記制御回路は、
前記誘導開始位置の電界通信装置の第１のトランシーバと第２のトランシーバとの間に電界通信が発生した時に、前記誘導開始位置の電界通信装置内の有機ＥＬシートと接続されている給電回路、前記誘導終了位置の電界通信装置内の有機ＥＬシートと接続されている給電回路、前記適数枚のマット状の有機ＥＬシートそれぞれと接続されている給電回路を起動させてすべての有機ＥＬシートを発光させる給電制御をすることを特徴とする歩行者誘導装置。
【発明の詳細な説明】
【技術分野】
【０００１】
本発明は、電界通信技術を利用して歩行者を一定の目的場所まで誘導するために用いる電界通信装置及び歩行者誘導装置に関する。
【背景技術】
【０００２】
携帯端末の小型化及び高性能化によりウェアラブルコンピュータが注目されている。図９はこのようなウェアラブルコンピュータを人間に装着して使用する場合の例を示している。同図９に示すように、ウェアラブルコンピュータ１０７はそれぞれトランシーバ１０９を介して人間の腕、肩、胴体などに装着されて互いにデータの送受信を行うとともに、さらに手足の先端で触れられるよう壁や床に設けられたトランシーバ１０９ａ，１０９ｂとケーブルとを介して外部に設けられたパソコン（ＰＣ）１０８と通信を行うようになっている。
【０００３】
このようなウェアラブルコンピュータ１０７間、及びウェアラブルコンピュータ１０７とＰＣ１０８とのデータ通信に使用されるトランシーバ１０９は、レーザ光と電気光学結晶を用いた電気光学的手法による信号検出技術を利用していて、送信すべき情報に基づく電界を電界伝達媒体である生体に誘起させ、この誘起した電界を用いて情報の送受信を行っている。このような通信は、電界通信と呼ばれている。
【０００４】
そして電界通信の分野では、例えば、特許３８０４６３号公報（特許文献１）に記載されているように、面状の電界通信電極と電界通信を行うトランシーバとを利用して、不審者の敷地及び住居への立ち入り、並びに部屋への入室を的確に検知する不審者検知システムが知られている。
【０００５】
ところが、この従来技術は、不審者の検知を目的とするものであり、一般歩行者を一定の目的場所に誘導する目的は持っておらず、そのために床面に敷設される面状の電界通信電極には発光機能はない。
【０００６】
一方、暗い廊下では、床面に正しい歩行方向を知らせるために発光して誘導する装置が設置されていることが望ましい。しかしながら、常時点灯する誘導灯では電力消費が無視できず、歩行者が実際に歩行している時だけ発光して目的場所まで誘導する歩行者誘導装置があれば望ましい。そして近年開発されている電界通信技術を応用してそのような歩行者誘導装置が実現できれば省電力、省エネルギーにするという社会的要請によく応えることができる。
【特許文献１】特許３８０４６３号公報
【発明の開示】
【発明が解決しようとする課題】
【０００７】
本発明は、上述した従来技術の課題に鑑みてなされたもので、省電力、省エネルギーが可能な電界通信技術を利用した歩行者誘導装置、またその歩行者誘導装置に利用できる電界通信装置を提供することを目的とする。
【課題を解決するための手段】
【００１１】
本発明の１つの特徴は、ユーザが携帯している電界通信用携帯端末と電界により情報を送受信する電界通信装置であって、有機ＥＬシートに電界通信のための送信用電極線と受信用電極線とを積層し、マット状に整形した構成の電界通信用電極面材と、前記電界通信用電極面材の前記送信用電極線の出力端に接続された第１のトランシーバと、前記電界通信用電極面材の前記受信用電極線の入力端に接続された第２のトランシーバと、前記電界通信用電極面材の内部の有機ＥＬシートの給電端に接続され、当該有機ＥＬシートを発光させるための給電回路とを備え、前記第1のトランシーバは信号発生装置を備え、前記第２のトランシーバはＩＤ認証装置を備え、前記電界通信用電極面材は、前記ユーザに同時に接触可能なように、前記送信用電極線と受信用電極線とを共に櫛形に、かつ、相互に交差しない配置にした電界通信装置である。
【００１２】
本発明の別の特徴は、上記電界通信装置を複数体、所定の誘導開始位置と所定の誘導終了位置とに設置し、制御回路を前記複数体の電界通信装置それぞれの第１のトランシーバ、第２のトランシーバ、給電回路のすべてと接続し、前記制御回路は、前記誘導開始位置の電界通信装置の第１のトランシーバと第２のトランシーバとの間に電界通信が発生した時に、前記誘導開始位置の電界通信装置内の有機ＥＬシートに接続されている給電回路と前記誘導終了位置の電界通信装置内の有機ＥＬシートに接続されている給電回路それぞれを起動させてすべての有機ＥＬシートを発光させる給電制御をするようにした歩行者誘導装置である。
【００１３】
本発明のさらに別の特徴は、上記電界通信装置を複数体、所定の誘導開始位置と所定の誘導終了位置とに設置し、前記誘導開始位置と誘導終了位置に設置された電界通信装置の間に、マット状の有機ＥＬシートを適数枚、列をなすように設置し、前記適数枚のマット状の有機ＥＬシートそれぞれの給電端に給電回路それぞれを接続し、制御回路を前記複数体の電界通信装置それぞれの第１のトランシーバ、第２のトランシーバ、給電回路と前記適数枚のマット状の有機ＥＬシートそれぞれの給電回路のすべてと接続し、前記制御回路は、前記誘導開始位置の電界通信装置の第１のトランシーバと第２のトランシーバとの間に電界通信が発生した時に、前記誘導開始位置の電界通信装置内の有機ＥＬシートと接続されている給電回路、前記誘導終了位置の電界通信装置内の有機ＥＬシートと接続されている給電回路、前記適数枚のマット状の有機ＥＬシートそれぞれと接続されている給電回路を起動させてすべての有機ＥＬシートを発光させる給電制御をするようにした歩行者誘導装置である。
【発明の効果】
【００１５】
本発明の電界通信装置によれば、床材として歩行者誘導路上に設置し、第１と第２のトランシーバにより人の進入を検出した時に給電回路を起動して有機ＥＬシートを発光させる制御回路を接続することで、低消費電力の歩行者誘導装置を構成することができる。
【００１６】
本発明の歩行者誘導装置によれば、制御回路が誘導開始位置の電界通信装置の第１のトランシーバと第２のトランシーバとの間に電界通信が発生した時に、誘導開始位置の電界通信装置内の有機ＥＬシートに接続されている給電回路と誘導終了位置の電界通信装置内の有機ＥＬシートに接続されている給電回路それぞれを起動させてすべての有機ＥＬシートを発光させる給電制御をするので、人が誘導開始位置まで進入してくれば歩行路の始点と終点を有機ＥＬシートの発光によって知らせることができ、暗い状況でも低消費電力で歩行者誘導ができる。
【００１７】
また、本発明の歩行者誘導装置によれば、制御回路が、誘導開始位置の電界通信装置の第１のトランシーバと第２のトランシーバとの間に電界通信が発生した時に人が誘導開始位置まで進入したものとして誘導開始位置の電界通信装置内の有機ＥＬシートと接続されている給電回路、誘導終了位置の電界通信装置内の有機ＥＬシートと接続されている給電回路、さらにそれらの間に敷設されている適数枚のマット状の有機ＥＬシートそれぞれと接続されている給電回路を起動させてすべての有機ＥＬシートを発光させる給電制御をするので、人が誘導開始位置まで進入してくれば歩行路の始点から終点までの全行路を有機ＥＬシートの発光によって知らせることができ、暗い状況でも低消費電力で歩行者誘導ができる。
【発明を実施するための最良の形態】
【００１８】
以下、本発明の実施の形態を図に基づいて詳説する。
【００１９】
＜第１の実施の形態＞図１は、本発明の１つの実施の形態の電界通信装置を示している。本実施の形態の電界通信装置は、有機ＥＬシート１１に電界通信のための櫛形の送信用電極線１２と同じく櫛形の受信用電極線１３とを相互に交差しない配置にして積層した構造の電界通信用電極面材１と、送信用電極線１２に対して接続された送信側トランシーバ２Ａと、受信用電極線１３に対して接続された受信側トランシーバ２Ｂと、有機ＥＬシート１１を発光させるためにこの有機ＥＬシート１１に給電するインバータ３とで構成されている。有機ＥＬシート１１の発光色は特に限定されるものではないが、例えば、白色、青色等を使用することができる。
【００２０】
図２（ａ）、（ｂ）に示すように、電界通信用電極面材１における有機ＥＬシート１１は、裏面電極１１ａ上に誘電体１１ｂと発光体１１ｃを積層し、透明電極１１ｄにて表装した構成であり、さらにこの有機ＥＬシート１１の表裏には透明又は半透明の表面材１５ａ，１５ｂが積層してある。この有機ＥＬシート１１はインバータ接続点１１−１，１１−２にてインバータ３の出力線に接続され、インバータ３の電力にて発光する。
【００２１】
電界通信用電極面材１における送信用電極線１２と受信用電極線１３とは、透明樹脂１６で相互に交差しない配置にして埋め込まれている。そして送信側電極線１２、受信側電極線１３共に、グランド電極層１２ａ，１３ａと電極層１２ｂ，１３ｂを紙などの絶縁材１２ｃ，１３ｃにて絶縁隔離し対向配置した構造である。送信側トランシーバ２Ａ、受信側トランシーバ２Ｂそれぞれに対しては、これらのグランド電極層１２ａ，１３ａと電極層１２ｂ，１３ｂそれぞれの端部１２−１，１２−２；１３−１，１３−２を接続することで電界通信できる。そして、送信用電極線１２と受信用電極線１３とが埋め込まれた透明樹脂１６は、有機ＥＬシート１１の表面材１５ａの表側に積層し、さらにこの透明樹脂１６の表側に透明若しくは半透明のもう１枚の表面材１５ｃを積層してある。
【００２２】
上記構造の電界通信用電極面材１は、例えば、有機ＥＬシート１１が全体で２．０ｍｍ、電極１２，１３を埋め込んだ透明樹脂１６が３．２ｍｍ、表面材１５ａ，１５ｂ，１５ｃそれぞれが０．５ｍｍの厚さで、面材全体で約７ｍｍ弱の厚さである。
【００２３】
次に、上記構成の電界通信装置の動作について説明する。上記構成の電界通信装置は、例えば、セキュリティドアの前の床や壁に設置して使用することができる。その場合の動作は、次の通りである。電源を投入することで、インバータ３は起動して有機ＥＬシート１１に高周波電流を給電し、これにて有機ＥＬシート１１を発光させる。これにて、携帯端末を携帯しているユーザに対してどの位置に立てばあるいはどの場所にタッチすれば電界通信にてＩＤチェックができるかを有機ＥＬの発光にて知らせることができる。そこで、正規のＩＤが設定されている携帯端末２０を携帯しているユーザ２１は、その場所に立ち、あるいはタッチすることで電界通信にてＩＤ認証ができ、セキュリティドアを解錠させて入室が可能となる。
【００２４】
床埋込型の電界通信システムの一般的な構成は、図３に示すものであり、信号発生装置３１、ＩＤ認証装置３２、電界通信用電極面材１、携帯端末２０から構成される。そして、信号発生装置３１は上述した送信側トランシーバ２Ａを含み、ＩＤ認証装置３２は上述した受信側トランシーバ２Ｂを含んでいる。そして、入室資格を持つユーザ２１の電界通信用携帯端末２０は、電界通信用のトランシーバ２ＣとＩＤ発信器２０Ａを含んでいる。
【００２５】
信号発生装置３１は、トランシーバ２Ａ、及びトランシーバ２Ａを介して所定の信号（例えば、矩形波などの単純な信号）を定期的（例えば、０．１秒ごと）に発信している信号発生器３１Ａを備えている。
【００２６】
ここで、トランシーバ２Ａ、後述するトランシーバ２Ｂ及び２Ｃは、詳しくは、図４（トランシーバ２Ａ〜２Ｃの構成及び機能は同一であるため、トランシーバ２として記述）に示すように、コンピュータ（本実施の形態においては、信号発生器３１Ａ）からの送信データを入出力（Ｉ／Ｏ）回路２０１を介して受け取ると、この送信データを送信部２０２を介して送受信電極２０３に供給し、該送受信電極２０３及び絶縁膜２０４を介して電界伝達媒体（本実施の形態においては、送信側電極１２及び受信側電極１３、並びにユーザ２１）に電界を誘起させ、この電界を電界伝達媒体の他の部位に伝達させる。また、電界伝達媒体に誘起されて伝達されてくる電界を絶縁膜２０４を介して送受信電極２０３で検出し、この電界を電界検出光学部２０５に結合して電気信号に変換する。そして、この電気信号は、信号処理回路２０６で増幅、雑音除去などの信号処理を施され、さらに波形整形回路２０７で波形整形されてから入出力（Ｉ／Ｏ）回路２０１を介してコンピュータ（本実施の形態においては、後述するＩＤ認証器３２Ａ）に出力される。
【００２７】
電界通信用電極面材１は、信号発生装置３１から発信された所定の信号を送信側電極１２にて受信し、ＩＤ認証装置３２に所定の信号を受信側電極１３から伝達する。送信側電極１２と受信側電極１３は共に櫛形にして、その間隔ｄ１は人の足のサイズを基準に約２０ｃｍ程度かそれ以下である。
【００２８】
このような送信用電極１２と受信用電極１３の配置により、ユーザ２１が電界通信用電極面材１の上を歩行すると、ユーザ２１の足は送信用電極１２と受信用電極１３を同時に踏むことになる。このとき、ユーザ２１が携帯している携帯端末２０のトランシーバ２Ｃは送信側電極１２が送信する所定の信号に感応してＩＤ発信器２０ＡからＩＤ情報を発信し、これをトランシーバ２Ｃ、ユーザ２１の体及び受信側電極１３５を介してＩＤ認証装置３２に出力され、そのＩＤ認証器３２ＡにてＩＤ認証を行う。そして、ＩＤ認証が成立すれば資格のあるユーザであるとして図示していないオートドアロックを解錠し、ユーザ２１がドアを開けて入室できるようにする。
【００２９】
尚、上で説明した一用途としてのＩＤ認証システムは電界通信用電極面材１を床埋込型として使用したが、これに限らず、壁埋込型としてその電極面材にタッチさせることでＩＤ認証を行うＩＤ認証システムに適用することもでき、その場合には有機ＥＬシート１１が光っている場所にタッチさせることでユーザ２１の携帯端末２０とＩＤ認証装置３２との間でＩＤ認証を実行させることができる。
【００３０】
このようにして、本実施の形態の電界通信装置では、これを用いて電界通信システムを構成した場合、電界通信用電極面材１が有機ＥＬシート１１の発光によってその設置場所をユーザ２１に容易に認識させて正しい認証位置にユーザ２１を誘導することができ、特に暗い中でのＩＤ認証システムとして有用である。
【００３１】
＜第２の実施の形態＞本発明の第２の実施の形態の歩行者誘導装置について、図５、図６を用いて説明する。本実施の形態の歩行者誘導装置は、例えば、正規のＩＤ番号が登録されている電界通信型携帯端末を携帯しているユーザに対して夜間の暗い廊下や通路といった環境の中でも入室が許可されているドア位置までの歩行路をフロアマットの発光により案内するような歩行者誘導装置である。
【００３２】
図５に示すように、本実施の形態の歩行者誘導装置では、図１に示した構成の電界通信用電極面材１Ｐ１〜１Ｐ４が誘導開始位置と目的地とに敷設されている。そして、電界通信用電極面材１Ｐ１〜１Ｐ４それぞれを電界通信用電極として利用する図３に示した構成の電界通信装置５１〜５４それぞれを構成し、これらの電界通信装置５１〜５４には有線若しくは無線の通信器６１〜６４それぞれを接続し、誘導制御装置６０とこれらの通信器６１〜６４との間で電極面材１Ｐ１〜１Ｐ４それぞれの有機ＥＬの発光・消灯を指示する信号を通信する構成である。また、誘導開始位置の電極面材１Ｐ１、目的地の電極面材１Ｐ２〜１Ｐ４それぞれとの間には、電界通信機能のない有機ＥＬマットＥＬ１〜ＥＬ５が敷設してあり、かつ、有機ＥＬマットＥＬ１〜ＥＬ５それぞれには点灯スイッチ７１〜７５それぞれが接続してあって、誘導制御装置６０からの指令によりこれらの点灯スイッチ７１〜７５を開閉させることでそれぞれの有機ＥＬの発光・消灯を制御する構成にしてある。
【００３３】
誘導制御装置６０は、各電界通信装置５１〜５４と通信器６１〜６４を介して通信し、誘導開始位置の電極面材１Ｐ１に立ったユーザ２１が携帯する携帯端末２０との間で電界通信によるＩＤ認証が成立すれば、当該ＩＤ番号のユーザ２１に入室が許可されている入口を目的地（ここでは、電極面材１Ｐ２の位置）としてその電極面材１Ｐ２の有機ＥＬシート１１を発光させ、同時に電極面材１Ｐ１と電極面材１Ｐ２との間に敷設されている有機ＥＬマットＥＬ１，ＥＬ２，ＥＬ３も同時に発光させる制御をする。誘導開始位置の電極面材１Ｐ１については、誘導制御装置６０により有機ＥＬシート１１を常時発光させておく。あるいは夜間時間帯だけ発光させる。さらには、携帯端末２０との電界通信にてＩＤ認証が成立した時に初めて発光させることにすることも可能である。以下の説明では、常時発光させているものとして説明する。
【００３４】
次に、上記構成の第２の実施の形態の歩行者誘導装置の動作について、図６を用いて説明する。歩行者誘導動作の開始前の状態は、図６（ａ）に示すものであり、誘導開始位置の電極面材１Ｐ１の有機ＥＬシート１１だけが発光状態にあり、他の有機ＥＬマットＥＬ１〜ＥＬ５も電極面材１Ｐ２〜１Ｐ４のいずれも消灯状態である。
【００３５】
図６（ｂ）に示すように、正規のＩＤ番号が登録されている携帯端末２０を携帯したユーザ２１が、発光している誘導開始位置の電極面材１Ｐ１の上に立ち、第１の実施の形態において説明した手順にてＩＤ認証が成立すると、誘導開始位置の電界通信装置５１は誘導制御装置６０に対して通信器６１を通じてＩＤ認証成立を送信する。これに対して誘導制御装置６０は、ＩＤ番号を元に該当ユーザの入室が許可されている部屋、ここでは、紙面下側の位置の電極面材１Ｐ２を目的地として割り出し、その電界通信装置５２に対して点灯指令を送出する。同時に、誘導制御装置６０は、誘導開始位置の電極面材１Ｐ１と目的地の電極面材１Ｐ２との間に敷設されている有機ＥＬマットＥＬ１，ＥＬ２，ＥＬ３の点灯スイッチ７１，７２，７３に点灯指令を送出する。これにより、有機ＥＬマットＥＬ１，ＥＬ２，ＥＬ３は発光し、また目的地の電極面材１Ｐ２の有機ＥＬも発光し、ユーザ２１に対して誘導開始位置から目的地までの歩行経路が明るく発光するマット群の列にて認識できるようにする。
【００３６】
ユーザ２１が目的地に到達してその電極面材１Ｐ２の上に立つと、この位置での携帯端末２０と電界通信装置５２との通信にてＩＤ認証を行い、ＩＤ認証が成立すると電界通信装置５２は誘導制御装置６０に対してＩＤ認証成立を送信し、誘導制御装置６０は図６（ｃ）に示すように、それまで発光していた誘導開始位置の電極面材１Ｐ１と目的地の電極面材１Ｐ２以外の有機ＥＬマットと電界通信装置５３，５４の有機ＥＬシート１１をすべて消灯させる消灯指令を送出する。
【００３７】
そしてユーザ２１が許可されているドアを開いて入室し、目的地の電極面材１Ｐ２から離れると、電界通信装置５２は通信停止を誘導制御装置６０に対して送信し、誘導制御装置６０は図６（ｄ）に示すように、それまで発光していた目的地の電極面材１Ｐ２の有機ＥＬシート１１を消灯させる消灯指令を送出する。この結果、この歩行者誘導装置は、図６（ａ）に示したと同様の待機状態に戻ることになる。
【００３８】
尚、ユーザ２１の携帯している携帯端末２０のＩＤ番号が別のものであり、その別のＩＤ番号に対して入室が許可されている部屋が電極面材１Ｐ４の先に位置する場合、上記と異なり、誘導開始位置の電極面材１Ｐ１の上に該当ユーザ２１が立った時、電極面材１Ｐ１、有機ＥＬマットＥＬ１，ＥＬ２，ＥＬ５、そして目的地の電極面材１Ｐ４の有機ＥＬシート１１が発光してそのユーザを目的地の電極面材１Ｐ４に至る歩行路を誘導することになる。
【００３９】
以上のように、本実施の形態の歩行者誘導装置によれば、正規のＩＤ番号の登録されている電界通信型携帯端末２０を携帯しているユーザ２１が誘導開始位置の電界通信装置５１の電極面材１Ｐ１の上に立てば、そのユーザ２１に入室が許可されている部屋の近くまで有機ＥＬマットと電界通信装置の有機ＥＬシートの発光にて誘導することができ、特に暗い廊下や通路においてユーザをその入室が許可されている部屋までの歩行経路を分かりやすく誘導できる利点がある。
【００４０】
＜第３の実施の形態＞本発明の第３の実施の形態の歩行者誘導装置について、図７、図８を用いて説明する。本実施の形態の歩行者誘導装置も、第２の実施の形態と同様に、例えば、正規のＩＤ番号が登録されている電界通信型携帯端末２０を携帯しているユーザ２１に対して夜間の暗い廊下や通路といった環境の中でも入室が許可されているドア位置までの歩行路をフロアマットの発光により案内するような歩行者誘導装置である。
【００４１】
図７に示すように、本実施の形態の歩行者誘導装置は、図１に示した構成の電界通信用電極面材１Ｐ１〜１Ｐ５を誘導開始位置と目的地と分岐地点とに敷設してある。そして、電界通信用電極面材１Ｐ１〜１Ｐ５それぞれを電界通信用電極として利用する図３に示した構成の電界通信装置５１〜５５それぞれを構成し、これらの電界通信装置５１〜５５には有線若しくは無線の通信器６１〜６５それぞれを接続し、誘導制御装置６０’とこれらの通信器６１〜６５との間で電極面材１Ｐ１〜１Ｐ５それぞれの有機ＥＬシート１１の発光・消灯を指示する信号を通信する構成である。また、誘導開始位置の電極面材１Ｐ１、目的地の電極面材１Ｐ２〜１Ｐ５それぞれとの間には、必要に応じて電界通信機能のない通常のフロアマットが敷設される。
【００４２】
誘導制御装置６０’は、各電界通信装置５１〜５５と通信器６１〜６５を介して通信し、誘導開始位置の電極面材１Ｐ１に立ったユーザ２１が携帯する携帯端末２０との間で電界通信によるＩＤ認証が成立すれば、当該ＩＤ番号のユーザ２１に入室が許可されている入口を目的地（ここでは、電極面材１Ｐ２の位置）とし、誘導開始位置から目的地に至るまでに存在する分岐地点があればその分岐地点の電極面材１Ｐ５の有機ＥＬシート１１を発光させる制御をする。誘導開始位置の電極面材１Ｐ１については、誘導制御装置６０’により有機ＥＬシート１１を常時発光させておく。この実施の形態にあっても、夜間時間帯だけ発光させる。さらには、携帯端末２０との電界通信にてＩＤ認証が成立した時に初めて発光させることにすることも可能である。以下の説明では、常時発光させているものとして説明する。
【００４３】
次に、上記構成の第３の実施の形態の歩行者誘導装置の動作について、図８を用いて説明する。歩行者誘導動作の開始前の状態は、図８（ａ）に示すものであり、誘導開始位置の電極面材１Ｐ１の有機ＥＬシート１１だけが発光状態にあり、他の電極面材１Ｐ２〜１Ｐ５のいずれも消灯状態である。
【００４４】
図８（ｂ）に示すように、正規のＩＤ番号が登録されている携帯端末２０を携帯したユーザ２１が、発光している誘導開始位置の電極面材１Ｐ１の上に立ち、第２の実施の形態において説明した手順にてＩＤ認証が成立すると、誘導開始位置の電界通信装置５１は誘導制御装置６０’に対して通信器６１を通じてＩＤ認証成立を送信する。これに対して誘導制御装置６０’は、ＩＤ番号をもとに該当ユーザの入室が許可されている部屋（ここでは、紙面下側の位置）を電極面材１Ｐ２を目的地として割り出し、さらに、その目的地に至るまでに存在する最初の分岐地点の電極面材１Ｐ５を割り出し、この最初の分岐地点に存在する電界通信装置５５に対して点灯指令を送出する。これにより、最初の分岐地点の電界通信装置５５の電極面材１Ｐ５の有機ＥＬシート１１が発光し、ユーザ２１に対して誘導開始位置の分極面材１Ｐ１から最初の分岐地点の電極面材１Ｐ５に至る歩行経路を認識させる。
【００４５】
ユーザ２１が最初の分岐地点に到達してその位置の電極面材１Ｐ５の上に立つと、この位置での携帯端末２０と電界通信装置５５との通信にてＩＤ認証を行い、ＩＤ認証が成立すると電界通信装置５５は誘導制御装置６０’に対してＩＤ認証成立を送信し、誘導制御装置６０’は図８（ｃ）に示すように、ＩＤ番号を元に該当ユーザの入室が許可されている部屋の前の電極面材１Ｐ２を目的地とし、この目的地に存在する電界通信装置５２に対して点灯指令を送出する。これにより、目的地の電界通信装置５２の電極面材１Ｐ２の有機ＥＬシート１１が発光し、ユーザ２１に対して目的地の電極面材１Ｐ２に至るまでの次の歩行経路を認識させる。
【００４６】
そしてユーザ２１が許可されているドアを開いて入室し、目的地の電極面材１Ｐ２から離れると、電界通信装置５２は通信停止を誘導制御装置６０’に対して送信し、誘導制御装置６０’は図８（ｄ）に示すように、それまで発光していた分岐地点の電極面材１Ｐ５と目的地の電極面材１Ｐ２の有機ＥＬシート１１を消灯させる消灯指令を送出する。この結果、この歩行者誘導装置は、図８（ａ）に示したと同様の待機状態に戻ることになる。
【００４７】
尚、本実施の形態の場合、歩行経路がさらに長くて分岐地点が複数点に存在するような場合には、ユーザ２１が最初の分岐地点に到達すれば、その先の目的地に至るまでの間に存在する次の分岐地点を割り出し、その分岐地点に存在する電極面材の有機ＥＬシート１１を発光させる制御を目的地に至るまで繰り返すことになる。
【００４８】
以上のように、本実施の形態の歩行者誘導装置によっても、正規のＩＤ番号の登録されている電界通信型携帯端末２０を携帯しているユーザ２１が誘導開始位置の電界通信装置５１の電極面材１Ｐ１の上に立てば、そのユーザ２１に入室が許可されている部屋の近くまで電界通信装置の有機ＥＬシートの発光にて誘導することができ、特に暗い廊下や通路においてユーザをその入室が許可されている部屋までの歩行経路を分かりやすく誘導できる利点がある。
【００４９】
尚、本発明においては、特に第１の実施の形態に示した電極面材に組み込まれる送信側、受信側の電極線は、櫛形に代えて相互に交差することがない渦巻き型でも良い。
【図面の簡単な説明】
【００５０】
【図１】本発明の第１の実施の形態の電極面材とそれを電極とする電界通信装置のブロック図。
【図２】上記第１の実施の形態の電極面材の断面図及び平面図。
【図３】上記の第１の実施の形態の電界通信装置の使用例を示すブロック図。
【図４】上記の第１の実施の形態の電界通信装置におけるトランシーバの詳しい構成を示すブロック図。
【図５】本発明の第２の実施の形態の歩行者誘導装置のブロック図。
【図６】上記の第２の実施の形態の歩行誘導装置の動作説明図。
【図７】本発明の第３の実施の形態の歩行誘導装置のブロック図。
【図８】上記の第３の実施の形態の歩行誘導装置の動作説明図。
【図９】従来のトランシーバを介してウェアラブルコンピュータを人間に装着して使用する場合の例を示す説明図。
【符号の説明】
【００５１】
１  電極面材
２，２Ａ，２Ｂ，２Ｃ  トランシーバ
３  インバータ
６Ａ，６Ｂ  コンピュータ
１１  有機ＥＬシート
１２  送信側電極線
１３  受信側電極線
２０  携帯端末
２０Ａ  ＩＤ発信器
２１  ユーザ
３１  信号発生装置
３１Ａ  信号発生器
３２  ＩＤ認証装置
３２Ａ  ＩＤ認証器
５１〜５５  電界通信装置
６０，６０’  誘導制御装置
６１〜６５  通信器
ＥＬ１〜ＥＬ５  有機ＥＬマット
７１〜７５  点灯スイッチ
【図１】
0004751905.tif 000002
【図２】
0004751905.tif 000003
【図３】
0004751905.tif 000004
【図４】
0004751905.tif 000005
【図５】
0004751905.tif 000006
【図６】
0004751905.tif 000007
【図７】
0004751905.tif 000008
【図８】
0004751905.tif 000009
【図９】
0004751905.tif 000010